(57)【要約】【課題】波長が８μｍ〜１４μｍの遠赤外線を使用する遠赤外線レンズであって、色収差を良好に補正した遠赤外線レンズを提供すること。レンズ径を小さくして製造コストを抑え、軽量な遠赤外線レンズを提供すること。特に、第三レンズで発生する像面湾曲を容易に良好に補正することができ全レンズ系として収差補正に優れた遠赤外線レンズを提供すること。【解決手段】全系が三枚のレンズからなり、正パワーの第一レンズと、像側に向けた凹面を有する負パワーの第二レンズと、正パワーの第三レンズとを有し、前記三枚のレンズのいずれかの面を回折面とした遠赤外線レンズ。【選択図】図１
2014109638.tif 000002
【特許請求の範囲】
【請求項１】
全系が三枚のレンズからなり、
正パワーの第一レンズと、
像側に向けた凹面を有する負パワーの第二レンズと、
正パワーの第三レンズとを有し、
前記三枚のレンズのいずれかの面を回折面としたことを特徴とする遠赤外線レンズ。
【請求項２】
第三レンズを移動させることにより合焦を行うことを特徴とする請求項１に記載の遠赤外線レンズ。
【請求項３】
f3：第二レンズの焦点距離、ｆ：全系の焦点距離とするとき、
0.088 ≦ ｆ2/ｆ  ・・・・・・・・・・・・・・（１）
を満足することを特徴とする請求項１に記載の遠赤外線レンズ。
【請求項４】
f3：第三レンズの焦点距離 、ｆ：全系の焦点距離とするとき、
0.15 ≦ ｆ3/ｆ ≦ 1.58 ・・・・・・・・・・・（２）
を満足することを特徴とする請求項１に記載の遠赤外線レンズ。
【請求項５】
前記三枚のレンズの少なくとも一つの硝材がゲルマニウムであることを特徴とする請求項１に記載の遠赤外線レンズ。
【発明の詳細な説明】
【技術分野】
【０００１】
本発明は、遠赤外線レンズ、さらに詳しくは、波長が８μｍ〜１４μｍの遠赤外線を使用し、遠赤外線サーモグラフィや遠赤外線監視カメラに使用する遠赤外線レンズ関する。本発明は、特に、３５ｍｍ判カメラレンズに換算したとき８５ｍｍ以上の長焦点距離をもつ望遠遠赤外線レンズに好適に実施できる。
【背景技術】
【０００２】
従来より、環境や人体の温度分布の測定や暗所での侵入監視等に、波長８μｍ〜１４μｍの遠赤外線撮像素子と遠赤外線用レンズを組み合わせた遠赤外線カメラが使用されてきた。
近年、遠赤外線撮像素子の解像度が上がり、被写体をより細かく細部を潰すことなく撮影できるようになり、遠赤外線カメラでも一撮像画面に遠方の被写体を拡大して目視を超えた多くの情報を含めたいという要望をより満たせるようになってきている。
【０００３】
従来の遠赤外線レンズとして、以下のものが提案されている。
遠赤外線レンズであって、物体側から順に凸面を物体側に向けた凸メニスカス第１レンズ、凹面を物体側に向けた凹メニスカスの第２レンズ、凸面を物体側に向けた凸メニスカスの第３レンズからなる３群３枚構成であり、上記第３レンズの物体側に向けた曲率半径をｒ５、第１レンズと第２レンズの間隔をｄ４、第１レンズと第２レンズの合成焦点距離ｆ１，２、全系の合成焦点距離をｆとしたとき、
０．６０ｆ＜  ｒ５    ＜０．７５ｆ
１．２    ＜ｄ２／ｄ４＜１．４
０．６    ＜ｆ／ｆ１，２＜０．７
の条件を満足する赤外線用レンズである（例えば、特許文献１参照）。
【０００４】
従来の他の遠赤外線レンズとして、１０μｍ帯の赤外波長域で使用される赤外光学系において、その像面に到達するノイズ光を確実に低減できる赤外光学系、およびそれを備えた赤外光学装置であって、複数のレンズからなるレンズ群１１〜１３と絞りＳ１とを備え、レンズ群が、ゲルマニウムを材料として形成され、絞りが、レンズ群の各レンズ面のうち最も像側に位置するレンズ面１３ａとレンズ群の像面１０ａとの間に配置され、レンズ群の各レンズ面のうち最も物体側に位置するレンズ面１１ａの有効径Ｄが、レンズ群の半画角をω、焦点距離をｆ、ＦナンバーをＦとするとき、「２ｆtanω＋ｆ/Ｆ ＜ Ｄ ＜ ８ｆtanω＋ｆ/Ｆ」を満足するものが提案されている（例えば、特許文献２参照）。
【０００５】
従来のさらに他の遠赤外線レンズとして、７μｍ〜１４μｍの波長帯で使用される赤外線用レンズであって、物体側から順に、物体側に凸面を向けた正メニスカス形状の第１レンズＬ１と、絞りと、物体側に凹面を向けた負メニスカス形状の第２レンズＬ２と、物体側に凸面を向けた正メニスカス形状の第３レンズＬ３とを備える。全系の焦点距離をｆとし、第２レンズＬ２の物体側の面の曲率半径をｒ４とし、第２レンズＬ２の像側の面の曲率半径をｒ５とし、第２レンズＬ２の中心肉厚をｄ４としたとき、下記条件式（１）、（２）を満足する。
０．４＜｜ｒ４｜／ｆ＜０．８２ … （１）
０．９＜（｜ｒ４｜＋ｄ４）／｜ｒ５｜＜１．１０ … （２）
この構成により、コストを抑制した上で、画角３０°程度の広角化を図り、焦点距離に比べて十分なバックフォーカスを確保し、７μｍ〜１４μｍの波長帯で良好な光学性能を実現することができる。
【先行技術文献】
【特許文献】
【０００６】
【特許文献１】特開昭６２−００５２１１号公報
【特許文献２】特開２００３−１８５９１９号公報
【特許文献３】特開２０１０−０３９２４３号公報
【発明の概要】
【発明が解決しようとする課題】
【０００７】
上述した従来技術の遠赤外線レンズは、いずれも３枚レンズ構成であって、光学硝材はすべてゲルマニウムである。ゲルマニウムは希少金属を含む。希少金属は世界的に流通量や使用量が少なく、採掘・生産場所も限られているため、非常に高価である。そのため、遠赤外線用光学系に使用するレンズ製品自体の価格が非常に高い。特に、望遠遠赤外線レンズにおいては、色収差が大きく発生し、該色収差を補正するためにレンズ枚数を増やさなければならないが、これは製造コストを上げ、重量が増すという問題がある。さらに、レンズ外径が大きいことは、レンズ面の研磨に多くの時間を要するとともに、光学硝材を多く使用しかつ重量が増すという問題がある。
【０００８】
（発明の目的）
本発明は、波長が８μｍ〜１４μｍの遠赤外線を使用する遠赤外線レンズの上述した問題に鑑みなされたものであって、色収差を良好に補正した遠赤外線レンズを提供することを目的とする。本発明はまた、レンズ径を小さくして製造コストを抑え、軽量な望遠遠赤外線レンズを提供することを目的とする。特に、第三レンズで発生する像面湾曲を容易に良好に補正することができ全レンズ系として収差補正に優れた遠赤外線レンズを提供することを目的とする。
【課題を解決するための手段】
【０００９】
本発明は、
全系が三枚のレンズからなり
正パワーの第一レンズと、
像側に向けた凹面を有する負パワーの第二レンズと、
正パワーの第三レンズとを有し、
前記三枚のレンズのいずれかの面を回折面としたことを特徴とする遠赤外線レンズ
である。
【発明の効果】
【００１０】
本発明の遠赤外線レンズによれば、色収差を良好に補正した遠赤外線レンズを構成することができる。また、レンズ径を小さくして製造コストを抑え、軽量な遠赤外線レンズを構成することができる。特に、第三レンズで発生する像面湾曲を容易に良好に補正することができ全レンズ系として収差補正に優れた遠赤外線レンズを構成することができる。
【００１１】
本発明の実施態様及びその効果は以下の通りである。
（実施態様１）
上述した本発明の遠赤外線レンズにおいて、第三レンズを移動させることにより合焦を行う。
本実施態様によれば、合焦による収差の劣化が少なく、より軽量化を実現できる。
【００１２】
（実施態様２）
上述した本発明の遠赤外線レンズにおいて、f3：第二レンズの焦点距離、ｆ：全系の焦点距離とするとき、
0.088 ≦ ｆ2/ｆ  ・・・・・・・・・・・・・・（１）
を満足することを特徴とする。
本実施態様によれば、歪曲収差を良好に補正することができ、かつ全長を短くすることができる。全長が短いことは、構成レンズの有効外径が小さいことになり、製造コストの低減化をすることができる。
【００１３】
（実施態様３）
上述した本発明の遠赤外線レンズにおいて、f3：第三レンズの焦点距離 、ｆ：全系の焦点距離とするとき、
0.15 ≦ ｆ3/ｆ ≦ 1.58 ・・・・・・・・・・・（２）
を満足することを特徴とする。
本実施態様によれば、上記式より0.15以下なった場合、フォーカス群のパワーが強くなり、フォーカス時の移動量が短くなり、ピント調整のピッチが細かくなり過ぎ、フォーカス敏感度が上がる。又、1.58以上になると、逆に移動量が長くなり過ぎる。長くなることによりレンズを通過する光線の高さが上がり、レンズ径が大きくなる。レンズ径拡大は、コストアップをもたらす。またレンズの移動量が長くなり、直進精度が悪くなり、レンズの傾きが発生し、光学性能がおちてしまう。上記範囲内にすることにより、フォーカスレンズのフォーカス敏感度が適切になり、使い勝手がよく所望の撮影を容易に行うことができる。また、歪曲収差を良好に補正することができ、かつ全長を短くすることができる。全長が短いことは、構成レンズの有効外径が小さいことになり、製造コストの減少を実現できる。
【００１４】
（実施態様４）
上述した本発明の遠赤外線レンズにおいて、前記三枚のレンズの少なくとも一つはカルコゲナイドであることを特徴とする。
本実施態様によれば、カルコゲナイドの比重がゲルマニウムに比重の約0.83倍であるから、移動群にカルコゲナイドを使用することにより、移動時の負荷、すなわちモーターのトルクを減らすことができる。また、カルコゲナイドはプレス加工が可能なため、量産時のコストダウンの効果を得ることができる。
【図面の簡単な説明】
【００１５】
【図１】本発明の第１実施形態の遠赤外線レンズの光学図である。
【図２】本発明の第１実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図３】本発明の第２実施形態の遠赤外線レンズの光学図である。
【図４】本発明の第２実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図５】本発明の第３実施形態の遠赤外線レンズの光学図である。
【図６】本発明の第３実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図７】本発明の第４実施形態の遠赤外線レンズの光学図である。
【図８】本発明の第４実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図９】本発明の第５実施形態の遠赤外線レンズの光学図である。
【図１０】本発明の第５実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図１１】本発明の第６実施形態の遠赤外線レンズの光学図である。
【図１２】本発明の第６実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図１３】本発明の第７実施形態の遠赤外線レンズの光学図である。
【図１４】本発明の第７実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図１５】本発明の第８実施形態の遠赤外線レンズの光学図である。
【図１６】本発明の第８実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図１７】本発明の第９実施形態の遠赤外線レンズの光学図である。
【図１８】本発明の第９実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図１９】本発明の第１０実施形態の遠赤外線レンズの光学図である。
【図２０】本発明の第１０実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図２１】本発明の第１１実施形態の遠赤外線レンズの光学図である。
【図２２】本発明の第１１実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図２３】本発明の第１２実施形態の遠赤外線レンズの光学図である。
【図２４】本発明の第１２実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図２５】本発明の第１３実施形態の遠赤外線レンズの光学図である。
【図２６】本発明の第１３実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【図２７】本発明の第１４実施形態の遠赤外線レンズの光学図である。
【図２８】本発明の第１４実施形態の遠赤外線レンズの波長１０μｍの収差図であり、（ａ）は球面収差図、（ｂ）は非点収差図、（ｃ）は歪曲収差図である。非点収差図（ｂ）において、Ｓはサジタル方向の非点収差を示し、Ｔはタンジェンシャル方向の非点収差を示す。
【発明を実施するための形態】
【００１６】
以下に、本発明の遠赤外線レンズの実施形態のレンズデータ等を示す。波長は、１０μｍである。以下のレンズデータ等の面番号でASPHを付したものは非球面である。非球面形状を表す式は，光軸に垂直な高さをH，面頂を原点としたときの高さHにおける光軸方向の変位量をX(H)，近軸曲率半径をR，円錐係数をε，２次の非球面係数A，４次の非球面係数B，６次の非球面係数C，８次の非球面係数D，１０次の非球面係数Eとしたとき、次の式で表される。
【００１７】
以下のレンズデータ等の面番号でDIFFを付したものは回折面である。回折面の位相差を表す式は
Φ(H)＝α2H2 ＋ α4H4 ＋ α6H6 ＋ α8H8 ＋ α10H10 
である。α2〜α10は、回折次数を示す。
以下のレンズデータ等の面番号でSTOPを付したものは絞りである。
【００１８】
（第１実施形態）
焦点距離ｆ＝169.935mm    開口数ｆno＝1.41    バックフォーカスＢｆ＝26.0170mm
面番号      曲率半径R        面間隔厚さ        材料        有効径
1            125.9445          11.3           GERMANIUM    120.924
2ASPH        199.2108          22.7463                     117.0
3STOP        INF               48.8079
4ASPH        718.7509           4             GERMANIUM     35.8
5ASPH/DIFF    75.9259          27.0804                      33.18
6ASPH         62.5896           6             KG-1          34.96
7ASPH        583.8952          27.0804                      33.8
8            INF                1             GERMANIUM
【００１９】
第１実施形態非球面係数
面番号      0(ε)        2(A)        4(B)        6(C)      8(D)        10(E)
2ASPH     1.1121      0.00E+00    8.10E-09    9.73E-15  4.53E-17    -3.70E-21
4ASPH     -999        0.00E+00    2.40E-06    6.54E-09 -1.37E-12    -1.70E-15
5ASPH    -0.6094      0.00E+00    1.82E-06    1.04E-08  2.99E-12     1.16E-14
6ASPH    -0.4976      0.00E+00   -3.95E-06    8.59E-09 -3.35E-11     1.11E-13
7ASPH     1001        0.00E+00   -4.12E-06    1.24E-09 -4.73E-12     6.48E-14
【００２０】
第１実施形態回折面係数
面番号        α2      α4        α6           α8          α10
5DIFF      -4.3E-03  -3.1E-08   -5.9E-11      -1.8E-11     1.58E-14
【００２１】
第１実施形態条件式の値
条件式（１）ｆ2/ｆ＝0.170          0.088 ≦ ｆ2/ｆ ・・・・・・（１）
条件式（２）ｆ3/ｆ＝0.258          0.15 ≦ ｆ3/ｆ ≦ 1.58・・・（２）
【００２２】
（第２実施形態）
焦点距離ｆ＝169.983mm      開口数ｆno＝ 1.416  バックフォーカスＢｆ＝23.758mm
面番号         曲率半径R      面間隔厚さ        材料             有効径
1              122.9081        11.3            GELMANIUM         120.76
2ASPH          199.6162        25.5665                           117.00
3STOP          INF             48.0761
4ASPH         -358.0842         4              GELMANIUM          35.80
5ASPH/DIFF      50.4818        27.0607                            26.20
6ASPH           43.5825         6              KG-1               42.20
7ASPH         -756.0208        24.0999                            41.74
8              INF              1              GELMANIUM
【００２３】
第２実施形態非球面係数
面番号      0(ε)        2(A)      4(B)        6(C)        8(D)        10(E)
2ASPH     1.1121      0.00E+00   1.23E-08   2.93E-13     -8.24E-17   8.52E-21
4ASPH     -999        0.00E+00   2.19E-06   8.30E-09     -6.51E-13   6.63E-14
5ASPH    -0.60946     0.00E+00   2.10E-06   1.12E-08      3.76E-11   1.33E-13
6ASPH    -0.4976      0.00E+00  -3.42E-06   7.21E-09     -3.63E-11   7.62E-14
7ASPH      999        0.00E+00  -2.66E-06   2.66E-09     -1.55E-11   5.37E-14
【００２４】
第２実施形態回折面係数
面番号        α2       α4        α6        α8        α10
5DIFF      -1.14E-03  6.96E-07   -1.4E-08  1.65E-11    -2.6E-14
【００２５】
第２実施形態条件式の値
条件式（１）ｆ2/ｆ＝0.088          0.088 ≦ ｆ2/ｆ ・・・・・・（１）
条件式（２）ｆ3/ｆ＝0.153          0.15 ≦ ｆ3/ｆ ≦ 1.58・・・（２）
【００２６】
（第３実施形態）
焦点距離ｆ＝170.025mm    開口数ｆno＝1.413      バックフォーカスＢｆ＝24.7817mm
面番号         曲率半径R       面間隔厚さ      材料            有効径
1              125.1835         11.3           GELMANIUM       120.81
2ASPH          202.2174         24.9781                        117.00
3STOP          INF              47.933
4ASPH         -530.0582          4             GELMANIUM        35.80
5ASPH/DIFF      66.8666         26.9145                         29.52
6ASPH           47.5707          6             KG-1             38.00
7ASPH          671.537          24.0999                         36.94
8ASPH          INF               1             GELMANIUM
【００２７】
第３実施形態非球面係数
面番号      0(ε)        2(A)        4(B)        6(C)      8(D)        10(E)
2ASPH     1.1121      0.00E+00    1.04E-08    2.26E-13   -4.78E-17   5.78E-21
4ASPH     -999        0.00E+00    2.52E-06    7.82E-09    4.42E-12  -2.26E-15
5ASPH    -0.609456                1.87E-06    1.25E-08    1.45E-11   3.95E-14
6ASPH    -0.4976      0.00E+00   -2.98E-06    7.65E-09   -3.35E-11   8.27E-14
7ASPH      999        0.00E+00   -3.27E-06    2.52E-09   -1.54E-11   6.14E-14
【００２８】
第３実施形態回折面係数
面番号        α2       α4        α6          α8          α10
5DIFF       -6.6E-04  -6.4E-07   1.58E-09     -1.8E-11      4.5E-14
【００２９】
第３実施形態条件式の値
条件式（１）ｆ2/ｆ＝0.118          0.088 ≦ ｆ2/ｆ ・・・・・・（１）
条件式（２）ｆ3/ｆ＝0.189          0.15 ≦ ｆ3/ｆ ≦ 1.58・・・（２）
【００３０】
（第４実施形態）
焦点距離ｆ＝169.977mm      開口数ｆno＝1.410   バックフォーカスＢｆ＝25.3124mm
面番号        曲率半径R     面間隔厚さ       材料                  有効径
1             127.7596      11.3            GELMANIUM              120.94
2ASPH         202.9865      23.8239                                117.0
3STOP         INF           48.4964
4ASPH         678.6419       4              GELMANIUM               35.80
5ASPH/DIFF     77.7363      27.116                                  33.22
6ASPH          63.4602       6              KG-1                    34.24
7ASPH         573.7758      23.9914                                 32.90
8             INF            1              GELMANIUM
【００３１】
第４実施形態非球面係数
面番号      0(ε)        2(A)        4(B)        6(C)       8(D)        10(E)
2ASPH     1.1114       0.00E+00    8.09E-09    7.59E-15    4.51E-17  -3.51E-21
4ASPH     -999         0.00E+00    2.42E-06    6.58E-09   -1.36E-12  -1.81E-15
5ASPH    -0.609                    1.79E-06    1.03E-08    2.80E-12   1.08E-14
6ASPH    -0.4773       0.00E+00   -3.94E-06    8.56E-09   -3.33E-11   1.15E-13
7ASPH      999         0.00E+00   -4.12E-06    1.38E-09   -3.98E-12   6.50E-14
【００３２】
第４実施形態回折面係数
面番号        α2      α4        α6        α8        α10
5DIFF       -4.1E-04  -8.0E-08  1.78E-10   2.35E-12    -1.7E-14
【００３３】
第４実施形態条件式の値
条件式（１）ｆ2/ｆ＝0.176          0.088 ≦ ｆ2/ｆ・・・・・・ （１）
条件式（２）ｆ3/ｆ＝0.263          0.15 ≦ ｆ3/ｆ ≦ 1.58・・・（２）
【００３４】
（第５実施形態）
焦点距離ｆ＝170.047mm      開口数ｆno＝1.412  バックフォーカスＢｆ＝27.4127mm
面番号         曲率半径R      面間隔厚さ      材料                   有効径
1              121.0923        11.3          GELMANIUM               120.94
2ASPH          189.0116        23.3722                               117.00
3STOP          INF             46.9539
4ASPH         1005.3944          4           GELMANIUM                35.80
5ASPH/DIFF      68.9895         26.9821                               32.64
6ASPH           57.7844          6           KG-1                     37.24
7ASPH          614.4326         24.0999                               35.90
8              INF               1           GELMANIUM
【００３５】
第５実施形態非球面係数
面番号      0(ε)        2(A)        4(B)        6(C)       8(D)       10(E)
2ASPH     1.1121      0.00E+00    8.01E-09    2.73E-14   4.71E-17   -4.46E-21
4ASPH     -999        0.00E+00    2.37E-06    6.41E-09  -1.66E-12   -2.44E-15
5ASPH    -0.6094                  1.86E-06    1.06E-08   3.73E-12    1.31E-14
6ASPH    -0.4976      0.00E+00   -3.94E-06    8.57E-09  -3.37E-11    1.03E-13
7ASPH     1001        0.00E+00   -4.13E-06    9.43E-10  -6.12E-12    6.89E-14
【００３６】
第５実施形態回折面係数
面番号        α2      α4        α6        α8        α10
5DIFF       -5.8E-04  4.01E-07   1.02E-09  -1.5E-12    -5.4E-14
【００３７】
第５実施形態条件式の値
条件式（１）ｆ2/ｆ＝0.149          0.088 ≦ ｆ2/ｆ・・・・・・ （１）
条件式（２）ｆ3/ｆ＝0.235          0.15 ≦ ｆ3/ｆ ≦ 1.58・・・（２）
【００３８】
（第６実施形態）
焦点距離ｆ＝169.972      開口数ｆno＝1.408   バックフォーカスＢｆ＝27.4797mm
面番号         曲率半径R    面間隔厚さ    材料                有効径
1              127.164        11.3        GELMANIUM           122.64
2ASPH          198.6993       26.1406                         117.00
3STOP          INF            43.8123
4ASPH          605.0518       4           GELMANIUM            35.80
5ASPH/DIFF      98.1714       27.3943                          33.56
6ASPH           83.4724       6           KG-1                 31.46
7ASPH          512.9388       23.9564                          29.90
8              INF            1           GELMANIUM
【００３９】
第６実施形態非球面係数
面番号      0(ε)        2(A)        4(B)        6(C)       8(D)        10(E)
2ASPH     1.0798      0.00E+00    7.44E-09   -1.35E-14   7.67E-17    -5.37E-21
4ASPH     -999        0.00E+00    2.51E-06    6.70E-09  -1.06E-12    -3.06E-15
5ASPH    -0.609       0.00E+00    1.73E-06    1.02E-08   1.40E-12     6.37E-15
6ASPH    -1.8661      0.00E+00   -4.45E-06    9.89E-09  -2.23E-11     1.96E-13
7ASPH      999        0.00E+00   -4.86E-06    2.39E-09   1.16E-11     1.35E-13
【００４０】
第６実施形態回折面係数
面番号      α2       α4        α6         α8           α10
5DIFF     -2.9E-04  -9.1E-08  1.17E-09    8.51E-13       -1.4E-14
【００４１】
第６実施形態条件式の値
条件式（１）ｆ2/ｆ＝0.235          0.088 ≦ ｆ2/ｆ・・・・・・ （１）
条件式（２）ｆ3/ｆ＝0.367          0.15 ≦ ｆ3/ｆ ≦ 1.58・・・（２）
【００４２】
（第７実施形態）
焦点距離ｆ＝169.972mm    開口数ｆno＝1.419     バックフォーカスＢｆ＝27.9675mm
面番号       曲率半径R      面間隔厚さ       材料               有効径
1            126.5621        11.3          GELMANIUM            122.84
2ASPH        195.6986        27.5144                            117.00
3STOP         INF            41.7832
4ASPH        575.3885         4            GELMANIUM             35.80
5ASPH/DIFF   107.2191        27.5749                             34.20
6ASPH         93.7736         6            KG-1                  30.42
7ASPH        495.4432        23.8426                             28.88
8             INF             1            GELMANIUM
【００４３】
第７実施形態非球面係数
面番号      0(ε)        2(A)        4(B)        6(C)       8(D)        10(E)
2ASPH     1.0646      0.00E+00    7.11E-09    -3.86E-15   1.06E-16   -9.65E-21
4ASPH     -999        0.00E+00    2.56E-06    6.84E-09   -8.69E-13   -3.19E-15
5ASPH    -0.609456                1.69E-06    1.03E-08    1.29E-12    5.96E-15
6ASPH    -5.3887      0.00E+00   -4.95E-06    1.04E-08   -1.20E-11    2.29E-13
7ASPH      999        0.00E+00   -5.86E-06    3.05E-09    2.45E-11    1.63E-13
【００４４】
第７実施形態回折面係数
面番号        α2      α4        α6         α8           α10
5DIFF       -2.6E-04  -9.2E-08  1.58E-09     -9.4E-13      -1.1E-14
【００４５】
第７式（１）ｆ2/ｆ＝0.265          0.088 ≦ ｆ2/ｆ・・・・・・ （１）
条件式（２）ｆ3/ｆ＝0.425          0.15 ≦ ｆ3/ｆ ≦ 1.58・・・（２）
【００４６】
（第８実施形態）
焦点距離ｆ＝169.986mm    開口数ｆno＝1.403  バックフォーカスＢｆ＝27.6239mm
面番号        曲率半径R       面間隔厚さ      材料            有効径
1             110.9438        11.3          GELMANIUM         121.60
2ASPH         154.7398        34.9212                         117.00
3STOP         INF             34.3788
4ASPH         529.0667         4            GELMANIUM          40.00
5ASPH/DIFF    118.1749        27.8485                          37.08
6ASPH         108.5093         6            KG-1               31.52
7ASPH         556.3301        23.5647                          31.14
8             INF              1            GELMANIUM
【００４７】
第８実施形態非球面係数
面番号      0(ε)        2(A)        4(B)        6(C)       8(D)        10(E)
2ASPH     0.9829      0.00E+00    5.07E-09   -7.12E-14    1.45E-16    -9.99E-21
4ASPH     -999        0.00E+00    3.00E-06    7.26E-09   -3.25E-12    -8.24E-16
5ASPH    -0.609456    0.00E+00    2.20E-06    1.11E-08    4.02E-13     2.82E-15
6ASPH   -55.6273      0.00E+00   -1.10E-05    4.00E-09    5.27E-11    -9.29E-14
7ASPH      999        0.00E+00   -1.83E-05    2.38E-08    1.69E-11    -1.14E-13
【００４８】
第８実施形態回折面係数
面番号        α2       α4        α6      α8        α10
5DIFF       -2.9E-04  -2.1E-07   6.12E-09  -3.7E-11   6.8E-14
【００４９】
第８実施形態条件式の値
条件式（１）ｆ2/ｆ＝0.318          0.088 ≦ ｆ2/ｆ・・・・・・ （１）
条件式（２）ｆ3/ｆ＝0.521          0.15 ≦ ｆ3/ｆ ≦ 1.58・・・（２）
【００５０】
（第９実施形態）
焦点距離ｆ＝169.983mm      開口数ｆno＝1.3996  バックフォーカスＢｆ＝27.3732mm
面番号         曲率半径R     面間隔厚さ     材料                有効径
1              108.5466        11.3        GELMANIUM            122.26
2ASPH          148.6545        35.3428                          117.00
3STOP          INF             34.034
4ASPH          528.2579         4          GELMANIUM             40.00
5ASPH/DIFF     125.0626        28.0354                           37.08
6ASPH          116.584          6          KG-1                  31.52
7ASPH          549.3396        23.3711                           31.14
8              INF              1          GELMANIUM
【００５１】
第９実施形態非球面係数
面番号      0(ε)      2(A)        4(B)        6(C)       8(D)         10(E)
2ASPH     1.0007      0.00E+00   3.68E-09   4.10E-14    1.13E-16     -7.97E-21
4ASPH     -999        0.00E+00   3.15E-06   7.70E-09   -5.00E-12     -5.85E-17
5ASPH    -0.609456    0.00E+00   2.49E-06   1.11E-08    7.25E-13     -1.08E-15
6ASPH   -80.5799      0.00E+00  -1.11E-05   5.42E-09    5.52E-11     -1.30E-13
7ASPH      999        0.00E+00  -1.97E-05   3.43E-08   -1.70E-11     -9.65E-14
【００５２】
第９実施形態回折面係数
面番号        α2       α4        α6        α8        α10
5DIFF       -2.8E-04  -2.3E-07    6.02E-09   -3.5E-11   6.26E-14
【００５３】
第９実施形態条件式の値
条件式（１）ｆ2/ｆ＝0.353          0.088 ≦ ｆ2/ｆ・・・・・・ （１）
条件式（２）ｆ3/ｆ＝0.597          0.15 ≦ ｆ3/ｆ ≦ 1.58・・・（２）
【００５４】
（第１０実施形態）
焦点距離ｆ＝170.034mm      開口数ｆno＝1.378   バックフォーカスＢｆ＝22.2774mm
面番号         曲率半径R      面間隔厚さ      材料              有効径
1              99.5579         11.3          GELMANIUM          123.32
2ASPH         126.3591         43.7214                          118.00
3STOP         INF              26.4114
4ASPH         497.439           4            GELMANIUM           50.00
5ASPH/DIFF    183.9289         32.4229                           43.98
6ASPH         248.871           6            KG-1                29.00
7ASPH         592.2005         18.9117                           28.20
8             INF               1            GELMANIUM
【００５５】
第１０実施形態非球面係数
面番号      0(ε)        2(A)        4(B)        6(C)       8(D)      10(E)
2ASPH     1.0177      0.00E+00   -7.11E-11   5.91E-13   -1.24E-17   -2.48E-21
4ASPH     -999        0.00E+00    3.45E-06   7.33E-09   -7.86E-12    2.35E-15
5ASPH    -0.609456    0.00E+00    3.19E-06   9.41E-09   -3.08E-12   -2.55E-15
6ASPH  -403.9831      0.00E+00   -9.85E-06   3.26E-08   -3.75E-11   -8.11E-14
7ASPH     999         0.00E+00   -1.63E-05   6.67E-08   -1.64E-10    7.03E-14
【００５６】
第１０実施形態回折面係数
面番号        α2      α4        α6        α8        α10
5DIFF      -2.3E-04   -9.2E-07  1.13E-08    -4.2E-11    3.98E-14
【００５７】
第１０実施形態条件式の値
条件式（１）ｆ2/ｆ＝0.588          0.088 ≦ ｆ2/ｆ・・・・・・ （１）
条件式（２）ｆ3/ｆ＝1.575          0.15 ≦ ｆ3/ｆ ≦ 1.58・・・（２）
【００５８】
（第１１実施形態）
焦点距離ｆ＝179.857mm      開口数ｆno＝1.403   バックフォーカスＢｆ＝26.2643mm
面番号         曲率半径R     面間隔厚さ     材料           有効径
1             123.1602       11.3          GELMANIUM       129.80
2ASPH         190.7832       23.2586                       126.00
3STOP         INF            49.8691
4ASPH         866.4924        4            GELMANIUM        35.00
5ASPH/DIFF     72.2908       27.2914                        32.00
6ASPH          61.9013        6            KG-1             34.60
7ASPH         581.0363       23.9358                        33.40
8             INF             1            GELMANIUM
【００５９】
第１１実施形態非球面係数
面番号      0(ε)        2(A)      4(B)      6(C)        8(D)        10(E)
2ASPH       1.1075   0.00E+00   7.17E-09   1.27E-14    3.80E-17    -3.96E-21
4ASPH       -999     0.00E+00   2.43E-06   6.74E-09   -1.38E-12    -1.74E-15
5ASPH      -0.813447 0.00E+00   1.95E-06   1.16E-08    3.09E-12     1.25E-14
6ASPH      -0.6842   0.00E+00  -3.89E-06   9.01E-09   -3.19E-11     1.05E-13
7ASPH       1001     0.00E+00  -4.02E-06   1.53E-09   -4.58E-12     5.91E-14
【００６０】
第１１実施形態回折面係数
面番号        α2      α4        α6        α8         α10
5DIFF      -4.4E-04  -7.6E-08  -1.4E-10    2.18E-12    -1.2E-14
【００６１】
第１１実施形態条件式の値
条件式（１）ｆ2/ｆ＝0.149          0.088 ≦ ｆ2/ｆ・・・・・・ （１）
条件式（２）ｆ3/ｆ＝0.241          0.15 ≦ ｆ3/ｆ ≦ 1.58・・・（２）
【００６２】
（第１２実施形態）
焦点距離ｆ＝190.02      開口数ｆno＝1.407   バックフォーカスＢｆ＝26.7926mm
面番号         曲率半径R       面間隔厚さ      材料          有効径
1             126.1177          11.3          GELMANIUM      137.00
2ASPH         197.6364          27.1442                      134.2
3STOP         INF               47.9987
4ASPH        1012.1458           4            GELMANIUM       34.80
5ASPH/DIFF     68.5275          27.4022                       31.96
6ASPH          61.2455           6            KG-1            34.60
7ASPH         585.2743          24.0513                       33.40
8             INF                1            GELMANIUM
【００６３】
第１２実施形態非球面係数
面番号      0(ε)        2(A)        4(B)        6(C)      8(D)        10(E)
2ASPH     1.1088      0.00E+00    7.33E-09    5.52E-16   4.01E-17   -3.70E-21
4ASPH     -999        0.00E+00    2.32E-06    6.45E-09  -1.39E-12   -1.74E-15
5ASPH     -0.732334   0.00E+00    1.99E-06    1.07E-08   3.15E-12    1.30E-14
6ASPH     -0.6982     0.00E+00   -3.84E-06    9.17E-09  -3.23E-11    1.04E-13
7ASPH     1001        0.00E+00   -4.06E-06    1.54E-09  -4.53E-12    6.24E-14
【００６４】
第１２実施形態回折面係数
面番号        α2      α4        α6        α8        α10
5DIFF      -4.8E-04  -7.6E-08   -1.4E-10    2.42E-12   -1.2E-14
【００６５】
第１２実施形態条件式の値
条件式（１）ｆ2/ｆ＝0.132          0.088 ≦ ｆ2/ｆ・・・・・・（１）
条件式（２）ｆ3/ｆ＝0.225          0.15 ≦ 3/ｆ ≦ 1.58・・・ （２）
【００６６】
（第１３実施形態）
焦点距離ｆ＝200.076mm      開口数ｆno＝1.406  バックフォーカスＢｆ＝29.3563mm
面番号         曲率半径R      面間隔厚さ       材料             有効径
1              126.3618        11.3          GELMANIUM          143.86
2ASPH          197.8262        29.4121                          141.62
3STOP          INF             46.2114
4ASPH         1837.415          4            GELMANIUM           36.06
5ASPH/DIFF      68.4992        27.4784                           33.00
6ASPH           63.2945         6            KG-1                36.00
7ASPH          586.3007        24.1311                           34.62
8              INF              1            GELMANIUM
【００６７】
第１３実施形態非球面係数
面番号      0(ε)        2(A)        4(B)        6(C)        8(D)      10(E)
2ASPH     1.1086      0.00E+00    7.24E-09   -3.24E-15    4.06E-17   -3.62E-21
4ASPH     -999        0.00E+00    2.36E-06    6.32E-09   -1.40E-12   -1.75E-15
5ASPH    -1.852825    0.00E+00    1.99E-06    1.05E-08    3.18E-12    1.32E-14
6ASPH    -0.7108      0.00E+00   -3.88E-06    9.12E-09   -3.25E-11    1.06E-13
7ASPH     1001        0.00E+00   -3.97E-06    1.55E-09   -4.50E-12    6.33E-14
【００６８】
第１３実施形態回折面係数
面番号        α2      α4        α6        α8        α10
5DIFF      -5.0E-04  -7.5E-08   -1.4E-10    2.43E-12    -1.2E-14
【００６９】
第１３実施形態条件式の値
条件式（１）ｆ2/ｆ＝0.121          0.088 ≦ ｆ2/ｆ・・・・・・ （１）
条件式（２）ｆ3/ｆ＝0.222          0.15 ≦ ｆ3/ｆ ≦ 1.58・・・（２）
【００７０】
（第１４実施形態）
焦点距離ｆ＝167.631mm      開口数ｆno＝1.385   バックフォーカスＢｆ＝26.1687mm
面番号         曲率半径R      面間隔厚さ      材料               有効径
1             128.9424         11.3          GELMANIUM           122.82
2ASPH         206.9743         20.724                            119.00
3STOP         INF              52.089
4ASPH         799.3006          4.1837       GELMANIUM            36.00
5ASPH/DIFF     75.7326         27.5973                            32.96
6ASPH          57.2553          4.7          GASIR1               35.06
7ASPH         616.0573         23.3095                            34.24
8             INF                1           GELMANIUM
【００７１】
第１４実施形態非球面係数
面番号      0(ε)        2(A)      4(B)        6(C)      8(D)          10(E)
2ASPH     1.122       0.00E+00   8.43E-09    4.69E-14   3.73E-17    -4.39E-21
4ASPH     -999        0.00E+00   2.39E-06    6.64E-09  -1.04E-12    -4.20E-16
5ASPH    -0.582813    0.00E+00   1.83E-06    1.05E-08   4.13E-12     1.52E-14
6ASPH    -0.5648      0.00E+00  -3.85E-06    8.70E-09  -3.54E-11     1.08E-13
7ASPH     999         0.00E+00  -3.74E-06    5.56E-10  -6.67E-12     6.52E-14
【００７２】
第１４実施形態回折面係数
面番号        α2      α4        α6        α8        α10
5DIFF      -4.9E-04  5.09E-08  2.74E-10    2.25E-12    -2.6E-14
【００７３】
第１４実施形態条件式の値
条件式（１）ｆ2/ｆ＝0.168          0.088 ≦ ｆ2/ｆ・・・・・・ （１）
条件式（２）ｆ3/ｆ＝0.247          0.15 ≦ ｆ3/ｆ ≦ 1.58・・・（２）
【符号の説明】
【００７４】
STOP         絞り
L１          第１レンズ
L２          第２レンズ
L３          第３レンズ
Ｒ           受光素子
【図１】
2014109638.tif 000003
【図２】
2014109638.tif 000004
【図３】
2014109638.tif 000005
【図４】
2014109638.tif 000006
【図５】
2014109638.tif 000007
【図６】
2014109638.tif 000008
【図７】
2014109638.tif 000009
【図８】
2014109638.tif 000010
【図９】
2014109638.tif 000011
【図１０】
2014109638.tif 000012
【図１１】
2014109638.tif 000013
【図１２】
2014109638.tif 000014
【図１３】
2014109638.tif 000015
【図１４】
2014109638.tif 000016
【図１５】
2014109638.tif 000017
【図１６】
2014109638.tif 000018
【図１７】
2014109638.tif 000019
【図１８】
2014109638.tif 000020
【図１９】
2014109638.tif 000021
【図２０】
2014109638.tif 000022
【図２１】
2014109638.tif 000023
【図２２】
2014109638.tif 000024
【図２３】
2014109638.tif 000025
【図２４】
2014109638.tif 000026
【図２５】
2014109638.tif 000027
【図２６】
2014109638.tif 000028
【図２７】
2014109638.tif 000029
【図２８】
2014109638.tif 000030